(57)【特許請求の範囲】
【請求項１】
建物から屋外に張り出した屋外領域に設置される手摺り格子であって、
前記屋外領域に設置された柱材間に渡された上下枠部材に貫通して取り付けられる金属製の格子本体部と、
前記格子本体部の上下端部にそれぞれ着脱される金属製のソケット部と、を有し、
前記ソケット部に、前記格子本体部が通される通し孔が形成され、
前記格子本体部の上端部に、前記通し孔よりも大きな拡径部が形成され、前記格子本体部の下端部に、前記通し孔に引っ掛かるストッパーが着脱される被着脱部が形成され、
前記格子本体部が、前記ソケット部を介して、固定部材によって、前記上下枠部材に固定される、
ことを特徴とする手摺り格子。
【請求項２】
前記被着脱部が、複数の溝であり、
前記ストッパーが、前記溝に係止する上側係止片と、前記上側係止片よりも下方で前記溝に係止する下側係止片とを有し、前記下側係止片の先端が、前記上側係止片よりも突出し、かつ、前記上側係止片に近づく方向に曲がっている、
ことを特徴とする請求項１に記載された手摺り格子。
【請求項３】
前記ソケット部が、
前記格子本体部の上下端部を覆う半球状のカバー部と、前記カバー部の周縁から張り出して前記上下枠部材に取り付けられる平板状のフランジ部と、を有し、
前記フランジ部が、中心から放射状に伸びた複数の頂点部と、前記頂点部間に連接されて中心から外側に向けて湾曲して張り出した湾曲縁部と、を有する、
ことを特徴とする請求項１又は請求項２に記載された手摺り格子。
【請求項４】
前記フランジ部が、等間隔に配置された前記頂点部と、通された前記格子本体部の周囲に等間隔に配置された少なくとも三個のネジ孔と、を有する、
ことを特徴とする請求項３に記載された手摺り格子。
【請求項５】
請求項１から請求項４のいずれか１項に記載された手摺り格子を用いた手摺り格子施工方法であって、
前記格子本体部に下端部から二つの前記ソケット部を通す手順と、
前記ソケット部が通された前記格子本体部を、前記柱材間に渡された前記下枠部材に予め形成された貫通孔に通す手順と、
予め貫通孔が形成された前記上枠部材を、前記下枠部材よりも上方で前記柱材間に渡す手順と、
前記格子本体部を前記上枠部材の貫通孔に通す手順と、
上側の前記ソケット部を前記上枠部材に固定する手順と、
前記ストッパーを前記格子本体部に取り付ける手順と、
下側の前記ソケット部で前記ストッパーを覆うと共に下側の前記ソケット部を前記下枠部材に固定する手順と、を含む、
ことを特徴とする手摺り格子施工方法。
【発明の詳細な説明】
【技術分野】
【０００１】
本発明は、屋外のデッキ等に用いられる手摺り格子及び手摺り格子施工方法に関するものである。
【背景技術】
【０００２】
従来、家屋等の建物の一部として、建物から張り出したデッキ等には、安全性を確保するため、手摺りが設けられている。一般的に、デッキの床から手摺りまでの間には、下記特許文献１に記載されているとおり、木製の補強部材が取り付けられている。
【先行技術文献】
【特許文献】
【０００３】
【特許文献１】特開平０６−１８００５３号公報
【発明の概要】
【発明が解決しようとする課題】
【０００４】
しかし、木製の補強部材は、継手の加工や組付けが複雑であり、時間を要するため、作業が困難である。
【０００５】
本発明は、上記の実情に鑑みて提案されたものである。屋外領域への設置が簡便である手摺り格子及び手摺り格子施工方法の提供を目的とする。
【課題を解決するための手段】
【０００６】
上記目的を達成するために、本発明に係る手摺り格子は、建物から屋外に張り出した屋外領域に設置される手摺り格子であって、前記屋外領域に設置された柱材間に渡された上下枠部材に貫通して取り付けられる金属製の格子本体部と、前記格子本体部の上下端部にそれぞれ着脱される金属製のソケット部と、を有し、前記格子本体部が、前記ソケット部を介して、固定部材によって、前記上下枠部材に固定される、ことを特徴とする。
【０００７】
本発明に係る手摺り格子は、前記ソケット部に、前記格子本体部が通される通し孔が形成され、前記格子本体部の上端部に、前記通し孔よりも大きな拡径部が形成され、前記格子本体部の下端部に、前記通し孔に引っ掛かるストッパーが着脱される被着脱部が形成された、ことを特徴とする。
【０００８】
本発明に係る手摺り格子は、前記被着脱部が、複数の溝であり、前記ストッパーが、前記溝に係止する上側係止片と、前記上側係止片よりも下方で前記溝に係止する下側係止片とを有し、前記下側係止片の先端が、前記上側係止片よりも突出し、かつ、前記上側係止片に近づく方向に曲がっている、ことを特徴とする。
【０００９】
本発明に係る手摺り格子は、前記ソケット部が、前記格子本体部の上下端部を覆う半球状のカバー部と、前記カバー部の周縁から張り出して前記上下枠部材に取り付けられる平板状のフランジ部と、を有し、前記フランジ部が、中心から放射状に伸びた複数の頂点部と、前記頂点部間に連接されて中心から外側に向けて湾曲して張り出した湾曲縁部と、を有する、ことを特徴とする。
【００１０】
本発明に係る手摺り格子は、前記フランジ部が、等間隔に配置された前記頂点部と、通された前記格子本体部の周囲に等間隔に配置された少なくとも三個のネジ孔と、を有する、ことを特徴とする。
【００１１】
本発明に係る手摺り格子施工方法は、前記格子本体部に下端部から二つの前記ソケット部を通す手順と、前記ソケット部が通された前記格子本体部を、前記柱材間に渡された前記下枠部材に予め形成された貫通孔に通す手順と、予め貫通孔が形成された前記上枠部材を、前記下枠部材よりも上方で前記柱材間に渡す手順と、前記格子本体部を前記上枠部材の貫通孔に通す手順と、上側の前記ソケット部を前記上枠部材に固定する手順と、前記ストッパーを前記格子本体部に取り付ける手順と、下側の前記ソケット部で前記ストッパーを覆うと共に下側の前記ソケット部を前記下枠部材に固定する手順と、を含む、ことを特徴とする。
【発明の効果】
【００１２】
本発明に係る手摺り格子は、建物から屋外に張り出した屋外領域に設置される手摺り格子であって、屋外領域に設置された柱材間に渡された上下枠部材に貫通して取り付けられる金属製の格子本体部と、格子本体部の上下端部にそれぞれ着脱される金属製のソケット部と、を有し、格子本体部が、ソケット部を介して、固定部材によって、上下枠部材に固定される。すなわち、金属製の格子本体部であるため、継手の加工が不要であるうえ、格子本体部が固定部材で上下枠部材に固定されるため、屋外領域への設置が簡便である。また、格子本体部が上枠部材に固定された状態で、この格子本体部に下枠部材が固定されていることから、手摺り格子によって下枠部材が吊り上げられ、下枠部材の反り返りや撓みを防ぐことができる。また、金属製の手摺り格子は、酸化による錆び等の経年によって、趣のある風合いを実現することができる。なお、木材のみで構成された手摺り格子は、下枠部材が長い場合、自重で下枠部材が反り返り、または撓む場合がある。
【００１３】
本発明に係る手摺り格子は、ソケット部に、格子本体部が通される通し孔が形成され、格子本体部の上端部に、通し孔よりも大きな拡径部が形成され、格子本体部の下端部に、通し孔に引っ掛かるストッパーが着脱される被着脱部が形成されている。拡径部がソケット部の孔に引っ掛かることで、格子本体部がソケット部に吊り下げられる。ソケット部が、上枠部材に固定されれば、格子本体部も上枠部材に対して不動となる。一方で、ストッパーが通し孔に引っ掛かることから、ソケット部が、下枠部材に固定されれば、格子本体部も下枠部材に対して不動となる。したがって、手摺り格子の設置が簡便である。
【００１４】
本発明に係る手摺り格子は、被着脱部が、複数の溝であり、ストッパーが、溝に係止する上側係止片と、上側係止片よりも下方で溝に係止する下側係止片とを有し、下側係止片の先端が、上側係止片よりも突出し、かつ、上側係止片に近づく方向に曲がっている。各係止片が溝に係止される構成であるため、ストッパーの取付が簡便である。特に、突出すると共に曲がった下側係止片は、ストッパーが溝に取り付けられる際のガイドとなるため、ストッパーの取付が簡便である。
【００１５】
本発明に係る手摺り格子は、ソケット部が、格子本体部の上下端部を覆う半球状のカバー部と、カバー部の周縁から張り出して上下枠部材に取り付けられる平板状のフランジ部とを有し、フランジ部が、中心から放射状に伸びた複数の頂点部と、頂点部間に連接されて中心から外側に向けて湾曲して張り出した湾曲縁部とを有している。すなわち、格子本体部の上下端部が、カバー部によって覆われるため、美観が損なわれない。また、頂点部及び湾曲縁部で形成された凹凸と、カバー部の半球とで、優れた美観を実現することができる。
【００１６】
本発明に係る手摺り格子は、フランジ部が、等間隔に配置された頂点部と、通された格子本体部の周囲に等間隔に配置された少なくとも三個のネジ孔とを有している。すなわち、頂点部が等間隔であるため、整然とした美観が実現する。また、ネジ孔が格子本体部の周囲に少なくとも三個あることから、格子本体部の周囲のうち、何れの方向からでもネジ孔にネジを入れることができる。なお、木材のみで構成された手摺り格子の場合、例えば、建物の二階等に手摺り格子を設置する際、足場等を組んで屋外領域の外側から作業をする必要がある。
【００１７】
本発明に係る手摺り格子施工方法は、格子本体部に下端部から二つのソケット部を通す手順と、ソケット部が通された格子本体部を、柱材間に渡された下枠部材に予め形成された貫通孔に通す手順と、予め貫通孔が形成された上枠部材を、下枠部材よりも上方で柱材間に渡す手順と、格子本体部を上枠部材の貫通孔に通す手順と、上側のソケット部を上枠部材に固定する手順と、ストッパーを格子本体部に取り付ける手順と、下側のソケット部でストッパーを覆うと共に下側のソケット部を下枠部材に固定する手順とを含んでいる。したがって、屋外領域への設置が簡便である。
【図面の簡単な説明】
【００１８】
【図１】図１は、本発明の実施形態に係る手摺り格子が用いられた手摺構造の外観が示された外観斜視図である。
【図２】図２は、本発明の実施形態に係る手摺り格子の外観正面図である。
【図３】図３は、本発明の実施形態に係る手摺り格子の外観側面図である。
【図４】図４は、本発明の実施形態に係る手摺り格子のソケット部の外観平面斜視図である。
【図５】図５は、本発明の実施形態に係る手摺り格子のソケット部の外観底面斜視図である。
【図６】図６は、本発明の実施形態に係る手摺り格子のストッパーの外観第一斜視図である。
【図７】図７は、本発明の実施形態に係る手摺り格子のストッパーの外観第二斜視図である。
【図８】図８は、本発明の実施形態に係る手摺り格子のストッパーの側面図である。
【図９】図９は、本発明の実施形態に係る手摺り格子施工方法の第一手順を説明するための説明斜視図である。
【図１０】図１０は、本発明の実施形態に係る手摺り格子施工方法の第二手順を説明するための説明斜視図である。
【図１１】図１１は、本発明の実施形態に係る手摺り格子施工方法の第三手順及び第四を説明するための説明斜視図である。
【図１２】図１２は、本発明の実施形態に係る手摺り格子施工方法の第五手順を説明するための説明斜視図である。
【図１３】図１３は、本発明の実施形態に係る手摺り格子施工方法の第六手順及び第七手順を説明するための説明斜視図である。
【図１４】図１４は、本発明の実施形態に係る手摺り格子施工方法の第八手順を説明するための説明斜視図である。
【図１５】図１５は、本発明の実施形態に係る手摺り格子施工方法の第九手順を説明するための説明斜視図である。
【図１６】図１６は、本発明の他の実施形態に係る手摺り格子の外観側面図である。
【図１７】図１７は、本発明の他の実施形態に係る手摺り格子の外観側面図である。
【図１８】図１８は、本発明の他の実施形態に係る手摺り格子のソケット部の外観平面斜視図である。
【図１９】図１９は、本発明の他の実施形態に係る手摺り格子のソケット部の外観底面斜視図である。
【発明を実施するための形態】
【００１９】
以下は、本発明の実施形態に係る手摺り格子及び手摺り格子施工方法の説明である。図１は、本実施形態に係る手摺り格子９が用いられた手摺構造１の外観が示されている。
【００２０】
図１に示されているとおり、手摺構造１は、家屋等の建物から屋外に張り出した屋外領域としてのデッキ、ベランダ、バルコニー、テラス等（以下、「デッキ等」と記す。）に設置されるものであり、複数の柱材２と、この柱材２間に渡された上枠部材３及び下枠部材４と、この上下枠部材３，４の間に取り付けられた手摺り格子９と、上枠部材３に取り付けられた笠木６とを有している。手摺り格子９は金属製であり、格子本体部１０と、この格子本体部１０の上端部１１及び下端部１２のそれぞれに取り付けられたソケット部１５と、格子本体部１０に取り付けられたストッパー２２（図２等参照。）とを有している。格子本体部１０及びソケット部１５の素材は、例えば、スチール、鍛鉄等であり、スチールの場合、黒皮が剥がされた状態でカチオン電着塗装が施される。具体的には、格子本体部１０は、地中梁の鉄筋として用いられるＤ１３（ＪＩＳ規格）の鉄筋等である。なお、柱材２、上下枠部材３，４及び笠木６は、木製であり、適宜防腐加工が施されている。
【００２１】
ここで、手摺り格子９を図面に基づいて説明する。図２及び３は、手摺り格子９の外観等が示され、図４及び５は、ソケット部１５の外観が示され、図６ないし８は、ストッパー２２の外観が示されている。
【００２２】
図２及び３に示されているとおり、格子本体部１０は、長手の棒状であり、上端部１１に拡径部１３が形成され、下端部１２に被着脱部としての複数の溝１４が形成されている。拡径部１３は、格子本体部１０が厚み方向に押し潰されたように、側方に向けて張り出している。溝１４は、格子本体部１０と直交する方向に沿って両側面部に一対で形成され、この一対の溝１４が、上下に間隔を開けて二段に形成されている。上端部１１及び下端部１２は、ソケット部１５が着脱されて覆われる。上下端部１１，１２に着脱されるソケット部１５は、同一である。溝１４には、ストッパー２２が着脱される。
【００２３】
図４及び５に示されているとおり、ソケット部１５は、半球状のカバー部１６と、このカバー部１６の周縁から側方に向けて張り出した平板状のフランジ部１８とを有している。カバー部１６は、中央に、格子本体部１０が通される通し孔１７が形成されている。通し孔１７の大きさは、格子本体部１０の拡径部１３よりも小さく形成されている。フランジ部１８は、ソケット部１５の中心から側方に向けて放射状に伸びた三個の頂点部１９と、この頂点部１９間に連接されてソケット部１５の中心から外側に向けて湾曲して張り出した湾曲縁部２０とを有している。頂点部１９は、通し孔１７を中心としたソケット部１５の円周方向に沿って等間隔に配置されている。フランジ部１８のうち、カバー部１６と頂点部１９との間には、三個のネジ孔２１が形成されている。ネジ孔２１は、通し孔１７を中心としたソケット部１５の円周方向に沿って等間隔に配置されている。
【００２４】
図６ないし８に示されているとおり、ストッパー２２は、薄板状の金属板が折り曲げられたものであり、被取付対象である格子本体部１０を挟む一対の挟持片２３を有している。なお、以下におけるストッパー２２の説明は、図６において示された方位（上方：Ｕｐ、下方：Ｄｏｗｎ、左方：Ｌｅｆｔ  Ｓｉｄｅ、右方：Ｒｉｇｈｔ  Ｓｉｄｅ、前方：Ｆｒｏｎｔ、後方：Ｂａｃｋ）に基づいている。
【００２５】
ストッパー２２は、左右側方に向けて横長の第一側面片２４と、この第一側面片２４の一端である左端に連接されて第一側面片２４に対してほぼ直角に配置された第二側面片２５と、第一側面片２４の他端である右端に連接されて第一側面片２４に対してほぼ直角に配置されると共に、第二側面片２５と対面した第三側面片２６と、第二側面片２５、第三側面片２６のそれぞれの上端に連接されると共に、互いに近づく方向に折り曲げられて各側面片２５，２６に対してほぼ直角に配置された一対の上側係止片２７と、第二側面片２５、第三側面片２６のそれぞれの下端に連接されると共に、互いに近づく方向に折り曲げられて各側面片２５，２６に対してほぼ直角に配置された一対の下側係止片２８とを有している。第二側面片２５と第三側面片２６とで、挟持片２３が構成され、第一側面片２４を介して各側面片２５，２６が連接されたことで、挟持片２３が板バネとして作用する。
【００２６】
上側係止片２７の前方先端である上側前端部２９、後方先端である上側後端部３０、及び、下側係止片２８の後方先端である下側後端部３１には、それぞれ爪部３４が形成されている。下側係止片２８の前方端である下側前端部３２は、上側前端部２９よりも前方に向けて突出し、かつ、上側係止片２７に近づく方向にわずかに曲がっている。上側係止片２７同士の間及び下側係止片２８の同士の間には、格子本体部１０を挟むための把持空間３３が形成されている。
【００２７】
以上のとおり、手摺り格子９が構成されている。次に、手摺り格子施工方法を、本実施形態の作用効果と共に、図面に基づいて説明する。図９ないし１５は、手摺り格子施工方法の手順が示されている。
【００２８】
図９に示されているとおり、第一手順では、柱材２が、定められた間隔で建てられる。図１０に示されているとおり、第二手順では、下枠部材４が、柱材２間に渡され、Ｌ字金具７等で固定される。下枠部材４には、格子本体部１０が通される貫通孔５が空けられる。なお、貫通孔５を空ける手順は、下枠部材４が柱材２に固定される手順の前でも後でもよい。図１１に示されているとおり、第三手順では、格子本体部１０の下端部１２から、二つのソケット部１５が通される。具体的には、一つのソケット部１５は、カバー部１６が下に向けられた姿勢で、下端部１２に通され、次いで、もう一つのソケット部１５は、カバー部１６が上に向けられた姿勢で下端部１２に通される。第四手順では、二つのソケット部１５が通された格子本体部１０が、下枠部材４に予め形成された貫通孔５に通される。
【００２９】
図１２に示されているとおり、第五手順では、上枠部材３が、下枠部材４よりも上方で柱材２間に渡され、Ｌ字金具７等で固定される。上枠部材３には、格子本体部１０が通される貫通孔５が空けられる。なお、貫通孔５を空ける手順は、上枠部材３が柱材２に固定される手順の前でも後でもよい。図１３に示されているとおり、第六手順では、格子本体部１０が、上枠部材３の貫通孔５に通される。具体的には、格子本体部１０の上端部１１のうち、拡径部１３よりも上側が、貫通孔５に通され、拡径部１３は、上枠部材３の下側に露出している。第七手順では、上側のソケット部１５が、格子本体部１０をスライドして上方に移動させられ、拡径部１３が、ソケット部１５のカバー部１６で覆われる（図２参照。）。ソケット部１５のフランジ部１８は、上枠部材３に取り付けられ、固定部材としてのネジ８等で固定される。格子本体部１０の拡径部１３は、ソケット部１５の通し孔１７よりも大きいため、拡径部１３が通し孔１７に引っ掛かることで、格子本体部１０は、ソケット部１５に吊り下がった状態となり、下方への移動が規制される（図２参照。）。したがって、簡便な方法で手摺り格子９を設置することができる。なお、拡径部１３が通し孔１７に引っ掛かる構造であるため、第七手順を経ることで、第六手順を追随させてもよい。
【００３０】
図１４に示されているとおり、第八手順では、ストッパー２２が格子本体部１０に取り付けられる。具体的には、ストッパー２２の把持空間３３に格子本体部１０の下端部１２が通され、ストッパー２２の上側係止片２７及び下側係止片２８が、下端部１２の溝１４に嵌合する。各係止片２７，２８の上側前端部２９、上側後端部３０及び下側後端部３１の爪部３４が、格子本体部１０の外周面に係止する。ストッパー２２が格子本体部１０に取り付けられる際、上側前端部２９よりも突出してわずかに曲がった下側前端部３２（図８参照。）が、溝１４にガイドされ、ストッパー２２が格子本体部１０に円滑に取り付けられる。
【００３１】
図１５に示されているとおり、第九手順では、下側のソケット部１５が、格子本体部１０をスライドして下方に移動させられ、ストッパー２２が、ソケット部１５のカバー部１６で覆われる（図２参照。）。ソケット部１５のフランジ部１８が、下枠部材４に取り付けられ、ネジ８等で固定される。ソケット部１５のネジ孔２１は、通し孔１７に通された格子本体部１０の周囲に配置されているため、デッキ等の内側や外側等、何れの方向からでもネジ孔２１にネジ８を入れることができる。ストッパー２２が取り付けられた格子本体部１０は、ストッパー２２が通し孔１７に引っ掛かることで、上方への移動が規制される。したがって、簡便な方法で手摺り格子を設置することができる。
【００３２】
以上の手順を経ることで、格子本体部１０が、ソケット部１５を介してネジ８によって、上下枠部材３，４に固定される。最後に、第十手順として、笠木６が上枠部材３の上面に取り付けられ（図１参照。）、手摺構造１が完成する。
【００３３】
上記したとおり、本実施形態によれば、手摺構造１の設置が簡便である。特に、格子本体部１０は、金属製であるため、木材のような継手の加工が不要であるうえ、格子本体部１０は、ソケット部１５を介してネジ８で上下枠部材３，４に固定されるため、手摺構造１の設置が簡便である。また、金属製の手摺り格子９は、カチオン電着塗装が劣化した後、酸化による錆び等の経年によって、趣のある風合いを実現することができる。
【００３４】
本実施形態によれば、格子本体部１０が上枠部材３に固定された状態で、この格子本体部１０に下枠部材４が固定されていることから、手摺り格子９によって下枠部材４が吊り上げられ、下枠部材４の反り返りや撓みを防ぐことができる。したがって、木製のデッキ等と比較して、柱材２の間隔を広く空けることができ、長尺の下枠部材４を用いることができる。
【００３５】
本実施形態によれば、格子本体部１０の上下端部１１，１２が、ソケット部１５のカバー部１６によって覆われるため、美観が損なわれない。また、フランジ部１８の頂点部１９及び湾曲縁部２０で形成された凹凸と、カバー部１６の半球とで、優れた美観を実現することができる。
【００３６】
本実施形態によれば、格子本体部１０が、下枠部材４の貫通孔５に通されているため、雨水が格子本体部１０を伝って貫通孔５から排水される。したがって、下枠部材４の腐食を抑止することができる。
【００３７】
なお、本発明の他の実施形態では、格子本体部の模様や形状は任意であり、例えば、１３×１３の角棒であって、格子本体部の中間部に、単一又は複数の捻じれた模様が施されている（図１６及び１７参照。）。他の実施形態では、ソケット部３１５のフランジ部３１８は、平面から視して、例えば、星型、ヒトデ型である（図１８及び１９参照。）。具体的には、フランジ部３１８は、ソケット部３１５の中心から側方に向けて放射状に伸びた六個の頂点部３１９と、この頂点部３１９間に連接されてソケット部３１５の中心に向けて湾曲した湾曲縁部３２０とを有している。頂点部３１９は、通し孔３１７を中心としたソケット部３１５の円周方向に沿って等間隔に配置されている。ソケット部３１５は、平面から視して、例えば、星型、ヒトデ型等の優れた美観を実現することができる。他の実施形態では、ソケット部は、プレス加工等によって製造される。他の実施形態では、ソケット部のフランジ部に形成されたネジ孔の数は任意である。他の実施形態では、ソケット部におけるフランジ部の形状は任意であり、例えば、円形、楕円形、三角形、多角形等である。他の実施形態では、ソケット部の頂点部の数及び間隔は任意である。他の実施形態では、ストッパーの下側先端部と上側先端部とが同じ形状である。他の実施形態では、ストッパーの下側先端部は曲がっていない。他の実施形態では、格子本体部及びソケット部は、カチオン電着塗装が施されていない。他の実施形態では、固定部材は、例えば、釘、ビス、接着剤等である。
【００３８】
以上、本開示の実施形態を詳述したが、本開示は上記実施形態に限定されるものではない。そして本開示は、特許請求の範囲に記載された事項を逸脱することがなければ、種々の設計変更を行うことが可能である。例えば、ソケット部は、ランプを引っ掛けるもの、階段等の手摺りを支える部材等にも用いられる。
【符号の説明】
【００３９】
１      手摺構造
２      柱材
３      上枠部材
４      下枠部材
５      貫通孔
６      笠木
７      Ｌ字金具
８      ネジ（固定部材）
９      手摺り格子
１０，１１０，２１０    格子本体部
１１    上端部
１２    下端部
１３    拡径部
１４    溝（被着脱部）
１５，３１５    ソケット部
１６，３１６    カバー部
１７，３１７    通し孔
１８，３１８    フランジ部
１９，３１９    頂点部
２０，３２０    湾曲縁部
２１，３２１    ネジ孔
２２    ストッパー
２３    挟持片
２４    第一側面片
２５    第二側面片
２６    第三側面片
２７    上側係止片
２８    下側係止片
２９    上側前端部
３０    上側後端部
３１    下側後端部
３２    下側前端部
３３    把持空間
３４    爪部
【要約】
【課題】屋外領域への設置が簡便である手摺り格子及び手摺り格子施工方法を提供する。
【解決手段】手摺り格子９は、金属製であり、棒状の格子本体部１０と、この格子本体部１０の上端部１１及び下端部１２のそれぞれに取り付けられたソケット部１５と、格子本体部１０に取り付けられたストッパーとを有し、格子本体部１０が、ソケット部１５を介して、上枠部材３及び下枠部材４に固定される。
【選択図】図１【図１】
0006984929.tif 000002
【図２】
0006984929.tif 000003
【図３】
0006984929.tif 000004
【図４】
0006984929.tif 000005
【図５】
0006984929.tif 000006
【図６】
0006984929.tif 000007
【図７】
0006984929.tif 000008
【図８】
0006984929.tif 000009
【図９】
0006984929.tif 000010
【図１０】
0006984929.tif 000011
【図１１】
0006984929.tif 000012
【図１２】
0006984929.tif 000013
【図１３】
0006984929.tif 000014
【図１４】
0006984929.tif 000015
【図１５】
0006984929.tif 000016
【図１６】
0006984929.tif 000017
【図１７】
0006984929.tif 000018
【図１８】
0006984929.tif 000019
【図１９】
0006984929.tif 000020